(57)【要約】【課題】デイジーチェーン接続された複数の表示装置により表示画面が表示されているときに、操作者は手元の操作のみで、操作者から離れた位置に表示されている表示画面の一部を操作することができる表示システムに適用される表示装置などを提供する。【解決手段】複数のタッチパネルディスプレイ装置（１００）の各々は、映像信号が表す映像のうちの、自身の設置位置に対応する部分を拡大した部分拡大画面を表示し、特定のジェスチャー操作が行われたときに、映像信号が表す映像を縮小した縮小画面を部分拡大画面に重ねて表示する表示制御装置（１４０）と、縮小画面に対する操作を表示画面の操作として検出するタッチパネルコントローラ（１２０）と、を具備している。【選択図】図３
2018040923.tif 000002
【特許請求の範囲】
【請求項１】
映像信号が上流から下流に送信されるようにデイジーチェーン接続され、前記映像信号が表す映像を１つの表示画面として表示する複数の表示装置と、前記映像信号を送信し、前記デイジーチェーン接続により前記下流から前記上流に送信されるタッチ情報を受信した場合に前記映像信号に反映させるホストマシンと、を具備する表示システムに適用される各表示装置であって、
前記上流からの前記映像信号が表す前記映像のうちの、自身の設置位置に対応する部分を拡大した部分拡大画面を表示し、特定のジェスチャー操作が行われたときに、前記映像信号が表す前記映像を縮小した縮小画面を前記部分拡大画面に重ねて表示する表示制御部と、
前記縮小画面に対する操作を前記表示画面の操作として検出するタッチ制御部と、
を具備することを特徴とする表示装置。
【請求項２】
前記上流からの前記映像信号を複数分配する分配部と、
前記分配部により分配された前記映像信号が表す前記映像のうちの、前記設置位置に対応する部分を拡大することにより、前記部分拡大画面を生成する部分拡大画面生成部と、
前記分配部により分配された前記映像信号が表す前記映像を縮小することにより、前記縮小画面を生成する縮小画面生成部と、
を更に具備することを特徴とする請求項１に記載の表示装置。
【請求項３】
前記タッチ制御部は、前記縮小画面に対してタッチ操作が行われたときに、前記表示画面に対する前記タッチ操作として前記タッチ情報を前記上流に送信することを特徴とする請求項１または２に記載の表示装置。
【請求項４】
前記表示制御部は、前記縮小画面に対して第１のタッチ操作が行われたときに、前記縮小画面内で前記第１のタッチ操作が行われた領域を含み、かつ、前記表示画面の一部を表す画面であるクローン画面を表示することを特徴とする請求項１または２に記載の表示装置。
【請求項５】
前記タッチ制御部は、前記クローン画面に対して第２のタッチ操作が行われたときに、前記表示画面に対する前記第２のタッチ操作として前記タッチ情報を前記上流に送信することを特徴とする請求項４に記載の表示装置。
【請求項６】
映像信号が上流から下流に送信されるようにデイジーチェーン接続され、前記映像信号が表す映像を１つの表示画面として表示する複数の表示装置と、前記映像信号を送信し、前記デイジーチェーン接続により前記下流から前記上流に送信されるタッチ情報を受信した場合に前記映像信号に反映させるホストマシンと、
を具備し、
前記複数の表示装置の各々は、
前記上流からの前記映像信号が表す前記映像のうちの、自身の設置位置に対応する部分を拡大した部分拡大画面を表示し、特定のジェスチャー操作が行われたときに、前記映像信号が表す前記映像を縮小した縮小画面を前記部分拡大画面に重ねて表示する表示制御部と、
前記縮小画面に対する操作を前記表示画面の操作として検出するタッチ制御部と、
を具備することを特徴とする表示システム。
【請求項７】
映像信号が上流から下流に送信されるようにデイジーチェーン接続され、前記映像信号が表す映像を１つの表示画面として表示する複数の表示装置と、前記映像信号を送信し、前記デイジーチェーン接続により前記下流から前記上流に送信されるタッチ情報を受信した場合に前記映像信号に反映させるホストマシンと、を具備する表示システムに適用される表示方法であって、
前記上流からの前記映像信号が表す前記映像のうちの、自身の設置位置に対応する部分を拡大した部分拡大画面を表示するステップと、
特定のジェスチャー操作が行われたときに、前記映像信号が表す前記映像を縮小した縮小画面を前記部分拡大画面に重ねて表示するステップと、
前記縮小画面に対する操作を前記表示画面の操作として検出するステップと、
を具備することを特徴とする表示方法。
【発明の詳細な説明】
【技術分野】
【０００１】
本発明は、複数の表示装置により表示画面を表示する表示システムに適用される表示装置などに関する。
【背景技術】
【０００２】
近年では、表示領域の拡大を目的として、複数のディスプレイ（またはモニター）を接続したマルチディスプレイ（またはマルチモニター）が普及されている。マルチディスプレイは、映像信号が上流から下流に送信されるように複数のディスプレイをデイジーチェーン接続することにより、映像信号が表す映像を表示画面として表示することができる。デイジーチェーン接続については、特許文献１に開示されている。
【０００３】
そこで、マルチディスプレイとして、タッチパネルとディスプレイとを有する複数の表示装置を使用することにより、操作者のタッチ操作をタッチ情報として、映像信号に反映させることが可能になる。
【先行技術文献】
【特許文献】
【０００４】
【特許文献１】特開２００６−２６８２５４号公報
【特許文献２】特開２００９−２８２６３７号公報
【発明の概要】
【発明が解決しようとする課題】
【０００５】
しかし、マルチディスプレイとして、タッチパネルとディスプレイとを有する複数の表示装置が使用される場合、表示画面のうちの、操作者から離れた位置に表示されている表示画面の一部（表示画面内のユーザインタフェースなど）については、操作者は操作することができない。例えば、マルチディスプレイにより表示画面が大きくなると、すなわち、大画面になると、操作者から離れた位置に表示されている表示画面の一部を、操作者がタッチする必要があるときに、操作者は、その位置に移動しなければならない。または、操作者から離れた位置に表示されている表示画面の一部に、操作者の手が届かない場合もある。そのため、マルチディスプレイとして、タッチパネルとディスプレイとを有する複数の表示装置が使用される場合、使いづらくなってしまう。
【０００６】
特許文献２には、１つの表示装置により表示画面が表示されているときに、表示画面に対して操作者によりタッチされた位置を特定し、表示画面の特定した位置に、表示画面を縮小した縮小画面を合成して上記１つの表示装置に表示する技術が開示されている。しかし、特許文献２に開示された技術は、マルチディスプレイには対応していない。すなわち、特許文献２に開示された技術は、デイジーチェーン接続された複数の表示装置には対応していない。
【０００７】
本発明は、上記従来の問題点に鑑みてなされたものであって、デイジーチェーン接続された複数の表示装置により表示画面が表示されているときに、操作者は手元の操作のみで、操作者から離れた位置に表示されている表示画面の一部を操作することができる表示システムに適用される表示装置などを提供することを目的とする。
【課題を解決するための手段】
【０００８】
本発明の表示装置は、映像信号が上流から下流に送信されるようにデイジーチェーン接続され、前記映像信号が表す映像を１つの表示画面として表示する複数の表示装置と、前記映像信号を送信し、前記デイジーチェーン接続により前記下流から前記上流に送信されるタッチ情報を受信した場合に前記映像信号に反映させるホストマシンと、を具備する表示システムに適用される各表示装置であって、前記上流からの前記映像信号が表す前記映像のうちの、自身の設置位置に対応する部分を拡大した部分拡大画面を表示し、特定のジェスチャー操作が行われたときに、前記映像信号が表す前記映像を縮小した縮小画面を前記部分拡大画面に重ねて表示する表示制御部と、前記縮小画面に対する操作を前記表示画面の操作として検出するタッチ制御部と、を具備することを特徴とする。
【０００９】
本発明の表示システムは、映像信号が上流から下流に送信されるようにデイジーチェーン接続され、前記映像信号が表す映像を１つの表示画面として表示する複数の表示装置と、前記映像信号を送信し、前記デイジーチェーン接続により前記下流から前記上流に送信されるタッチ情報を受信した場合に前記映像信号に反映させるホストマシンと、を具備し、前記複数の表示装置の各々は、前記上流からの前記映像信号が表す前記映像のうちの、自身の設置位置に対応する部分を拡大した部分拡大画面を表示し、特定のジェスチャー操作が行われたときに、前記映像信号が表す前記映像を縮小した縮小画面を前記部分拡大画面に重ねて表示する表示制御部と、前記縮小画面に対する操作を前記表示画面の操作として検出するタッチ制御部と、を具備することを特徴とする。
【００１０】
本発明の表示方法は、映像信号が上流から下流に送信されるようにデイジーチェーン接続され、前記映像信号が表す映像を１つの表示画面として表示する複数の表示装置と、前記映像信号を送信し、前記デイジーチェーン接続により前記下流から前記上流に送信されるタッチ情報を受信した場合に前記映像信号に反映させるホストマシンと、を具備する表示システムに適用される表示方法であって、前記上流からの前記映像信号が表す前記映像のうちの、自身の設置位置に対応する部分を拡大した部分拡大画面を表示するステップと、特定のジェスチャー操作が行われたときに、前記映像信号が表す前記映像を縮小した縮小画面を前記部分拡大画面に重ねて表示するステップと、前記縮小画面に対する操作を前記表示画面の操作として検出するステップと、を具備することを特徴とする。
【発明の効果】
【００１１】
このように、本発明では、デイジーチェーン接続された複数の表示装置により表示画面が表示されているときに、操作者は手元の操作のみで、操作者から離れた位置に表示されている表示画面の一部を操作することができる。
【図面の簡単な説明】
【００１２】
【図１】第１実施形態に係る表示システムの概略を説明するための図である。
【図２】第１実施形態に係る表示システムのホストマシンの機能構成を示すブロック図である。
【図３】第１実施形態に係る表示システムのタッチパネルディスプレイ装置の機能構成を示すブロック図である。
【図４】第１実施形態に係る表示システムのタッチパネルディスプレイ装置の機能構成を示すブロック図である。
【図５】第１実施形態に係る表示システムの処理の概要を説明するための図である。
【図６】第１実施形態に係る表示システムの処理の概要を説明するための図である。
【図７】第１実施形態に係る表示システムの処理の概要を説明するための図である。
【図８】第１実施形態に係る表示システムの処理の概要を説明するための図である。
【図９】第１実施形態に係る表示システムにおけるタッチ情報を説明するための図である。
【図１０】第１実施形態に係る表示システムにおけるタッチ情報を説明するための図である。
【図１１】第１実施形態に係る表示システムの動作として、各タッチパネルディスプレイ装置の表示処理を示すフローチャートである。
【図１２】図１１の表示処理内の部分拡大処理（ステップＳ１２０）を示すフローチャートである。
【図１３】図１１の表示処理内の縮小処理（ステップＳ１４０）を示すフローチャートである。
【図１４】図１１の表示処理内の合成処理（ステップＳ１６０）を示すフローチャートである。
【図１５】第１実施形態に係る表示システムの動作として、各タッチパネルディスプレイ装置のタッチ処理を示すフローチャートである。
【図１６】第１実施形態に係る表示システムの動作として、各タッチパネルディスプレイ装置のタッチ処理を示すフローチャートである。
【図１７】第１実施形態に係る表示システムの動作として、各タッチパネルディスプレイ装置のタッチ処理を示すフローチャートである。
【図１８】第２実施形態に係る表示システムにおけるタッチ情報を説明するための図である。
【図１９】第２実施形態に係る表示システムにおけるタッチ情報を説明するための図である。
【図２０】第２実施形態に係る表示システムの動作として、各タッチパネルディスプレイ装置のタッチ処理を示すフローチャートである。
【図２１】第２実施形態に係る表示システムの動作として、各タッチパネルディスプレイ装置のタッチ処理を示すフローチャートである。
【図２２】第３実施形態に係る表示システムの処理の概要を説明するための図である。
【図２３】第３実施形態に係る表示システムの処理の概要を説明するための図である。
【図２４】第３実施形態に係る表示システムの処理の概要を説明するための図である。
【図２５】第３実施形態に係る表示システムの処理の概要を説明するための図である。
【図２６】図１１の表示処理内の部分拡大処理（ステップＳ１２０）を示すフローチャートである。
【図２７】図１１の表示処理内の合成処理（ステップＳ１６０）を示すフローチャートである。
【図２８】第３実施形態に係る表示システムの動作として、各タッチパネルディスプレイ装置のタッチ処理を示すフローチャートである。
【図２９】第３実施形態に係る表示システムの動作として、各タッチパネルディスプレイ装置のタッチ処理を示すフローチャートである。
【図３０】第３実施形態に係る表示システムの動作として、各タッチパネルディスプレイ装置のタッチ処理を示すフローチャートである。
【図３１】第３実施形態に係る表示システムの処理の概要（変形例）を説明するための図である。
【図３２】第３実施形態に係る表示システムの処理の概要（変形例）を説明するための図である。
【発明を実施するための形態】
【００１３】
以下に、本発明の実施の形態について、図を参照しながら詳細に説明する。以下の説明では、本発明の表示システムを例に説明する。なお、本実施形態は、本発明を説明するための一例であり、実施形態の内容に限定されないことは勿論である。
【００１４】
［１．  第１実施形態］
まず、第１実施形態について説明する。第１実施形態では、デイジーチェーン接続された複数の表示装置により１つの表示画面が表示されているときに、操作者が表示画面の任意の位置（例えば、操作者の手が届く部分）で特定のジェスチャー操作（例えば、５本指を回転させるなど）を行なうことで、その位置で表示画面全体を縮小し、かつ、表示画面全体と同じアスペクト比の画面である縮小画面を表示させ、その縮小画面において、表示画面内のユーザインタフェースの操作を可能としている。
【００１５】
［１．１  全体構成］
まず、全体構成について図１を参照して説明する。図１は、第１実施形態に係る表示システムの概略を説明するための図である。表示システムは、複数の表示装置として複数のタッチパネルディスプレイ装置１００と、ホストマシン２００とを具備している。
【００１６】
複数のタッチパネルディスプレイ装置１００は、２×２や３×３のマルチディスプレイとして使用される。本実施形態では、３×３のマルチディスプレイとして使用され、複数のタッチパネルディスプレイ装置１００を９台のタッチパネルディスプレイ装置１００ａ〜１００ｉとする。
【００１７】
ホストマシン２００は、ＰＣ（Personal Computer）である。ホストマシン２００は、映像ケーブルＣｖｐによりタッチパネルディスプレイ装置１００ａ〜１００ｉをデイジーチェーン接続している。具体的には、ホストマシン２００は、映像ケーブルＣｖｐによりタッチパネルディスプレイ装置１００ａと接続され、タッチパネルディスプレイ装置１００ａ〜１００ｈは、それぞれ、映像ケーブルＣｖｐによりタッチパネルディスプレイ装置１００ｂ〜１００ｉと接続されている。本実施形態では、映像ケーブルＣｖｐとしては、DisplayPortケーブルが使用されるが、ＨＤＭＩ（登録商標）（High-Definition Multimedia Interface）ケーブルやＤＶＩ（Digital Visual Interface）ケーブルでもよい。
【００１８】
ホストマシン２００は、映像を表す映像信号を映像ケーブルＣｖｐによりタッチパネルディスプレイ装置１００ａに送信し、各タッチパネルディスプレイ装置１００ａ〜１００ｈは、同じ映像信号を映像ケーブルＣｖｐにより上流から受信し、その映像信号を映像ケーブルＣｖｐにより下流に送信する。各タッチパネルディスプレイ装置１００ａ〜１００ｉは、マルチディスプレイとして設置される設置位置が設定されていて、映像信号が表す映像のうちの、自身の設置位置に対応する部分を拡大（エンラージ）した部分拡大画面を表示する。すなわち、タッチパネルディスプレイ装置１００ａ〜１００ｉに表示される部分拡大画面により表示画面が構成される。
【００１９】
ホストマシン２００は、ＵＳＢ（Universal Serial Bus）ケーブルＣｕｓｂによりタッチパネルディスプレイ装置１００ａと接続され、１つのＨＩＤ（Human Interface Device）であるタッチパネルディスプレイ装置１００ａを認識する。ホストマシン２００は、ＵＳＢケーブルＣｕｓｂにより、下流（この場合、タッチパネルディスプレイ装置１００ａ）からのタッチ情報を受け付ける。
【００２０】
タッチパネルディスプレイ装置１００ａ〜１００ｉは、ＲＳ−２３２ＣケーブルＣｒｓによりデイジーチェーン接続されている。具体的には、タッチパネルディスプレイ装置１００ａ〜１００ｈは、それぞれ、ＲＳ−２３２ＣケーブルＣｒｓによりタッチパネルディスプレイ装置１００ｂ〜１００ｉと接続されている。タッチパネルディスプレイ装置１００ａ〜１００ｈは、下流（この場合、それぞれ、タッチパネルディスプレイ装置１００ｂ〜１００ｉ）からのタッチ情報を受け付ける。すなわち、タッチ情報は、デイジーチェーン接続された先頭のタッチパネルディスプレイ装置１００ａに集められ、ＨＩＤのデータとしてホストマシン２００に伝送される。
【００２１】
各タッチパネルディスプレイ装置１００ａ〜１００ｉは、部分拡大画面を生成する部分拡大機能（エンラージ機能）と、表示画面全体を縮小し、かつ、表示画面全体と同じアスペクト比の画面である縮小画面を生成する縮小機能と、縮小画面を部分拡大画面に重ねて表示する合成機能とを有している。縮小画面内のタッチ操作は、表示画面全体のタッチ位置に変換されて、ホストマシン２００に伝送される。
【００２２】
このように、第１実施形態に係る表示システムは、ディスプレイ側（タッチパネルディスプレイ装置１００ａ〜１００ｈ）の仕組みで、縮小画面の表示やタッチ情報の変換を行なう。このため、ホストマシン２００のＯＳ（Operating System）やアプリケーションに依存させずに、縮小画面の表示やタッチ情報の変換を実現することができる。また、ホストマシン２００に専用のアプリケーション、高性能のハードウェアなどが不要となり、表示ステムの構築の簡素化が可能となる。
【００２３】
［１．２  機能構成］
続いて、各装置の機能構成について図を参照して説明する。
【００２４】
［１．２．２  ホストマシン２００］
図２は、第１実施形態に係る表示システムのホストマシン２００の機能構成を示すブロック図である。図２に示すように、ホストマシン２００は、制御部２１０と、記憶部２２０と、通信部２３０とを備えている。
【００２５】
制御部２１０は、ホストマシン２００の全体を制御するための機能部である。制御部２１０は、記憶部２２０に記憶されている各種プログラムを読み出して実行することにより各種機能を実現しており、例えばＣＰＵ（Central Processing Unit）等により構成されている。
【００２６】
記憶部２２０は、ホストマシン２００の動作に必要な各種プログラムや、各種データが記憶されている機能部である。記憶部２２０は、例えば、半導体メモリや、ＨＤＤ（Hard Disk Drive）等により構成されている。
【００２７】
通信部２３０は、映像信号を映像ケーブルＣｖｐによりタッチパネルディスプレイ装置１００ａに送信し、タッチパネルディスプレイ装置１００ａからのタッチ情報をＵＳＢ信号として受信する。
【００２８】
［１．２．２  タッチパネルディスプレイ装置１００］
図３、４は、第１実施形態に係る表示システムのタッチパネルディスプレイ装置１００の機能構成を示すブロック図である。図３、４に示すように、タッチパネルディスプレイ装置１００は、タッチパネル１０２と、ディスプレイ１０４と、制御装置１０６とを備えている。
【００２９】
ディスプレイ１０４は、液晶ディスプレイ（ＬＣＤ；Liquid Crystal Display）である。タッチパネル１０２は、座標を形成するように、ディスプレイ１０４にマトリクス状に配置された静電容量センサを備えている。静電容量センサは、操作者が指示媒体（タッチペンまたは操作者の指先）を用いてディスプレイ１０４に対して入力操作を行なったときに、ディスプレイ１０４に対する操作者の入力を検出することができる。
【００３０】
制御装置１０６は、タッチパネルコントローラ１２０と、表示制御装置１４０と、記憶装置１６０と、図示しないＣＰＵとを備えている。ＣＰＵは、タッチパネルディスプレイ装置１００の全体を制御するための機能部であり、記憶装置１６０に記憶されている各種プログラムを読み出して実行することにより各種機能を実現する。記憶装置１６０は、部分拡大画面用のＲＡＭ（Random Access Memory）１６２と、縮小画面用のＲＡＭ１６４とを備えている。
【００３１】
表示制御装置１４０は、分配部１４２と、上述の部分拡大機能（エンラージ機能）である部分拡大画面生成部１４４と、上述の縮小機能である縮小画面生成部１４６と、上述の合成機能である合成処理部１４８とを備えている。
【００３２】
映像を表す映像信号は、ホストマシン２００から、デイジーチェーン接続されたタッチパネルディスプレイ装置１００ａ〜１００ｉに送られる。すなわち、各タッチパネルディスプレイ装置１００ａ〜１００ｈは、映像信号を映像ケーブルＣｖｐにより上流から受信し、その映像信号を映像ケーブルＣｖｐにより下流に送信する。そのため、分配部１４２は、映像信号を３分配し、それらの映像信号を、それぞれ、下流、部分拡大画面生成部１４４、縮小画面生成部１４６に送る。
【００３３】
部分拡大画面生成部１４４は、分配部１４２からの映像信号をＲＡＭ１６２に蓄積する。部分拡大画面生成部１４４は、マルチディスプレイの設置位置に対応した画面として、ＲＡＭ１６２に蓄積された映像信号が表す映像のうちの、自身の設置位置に対応する部分を拡大した部分拡大画面を生成する。
【００３４】
縮小画面生成部１４６は、分配部１４２からの映像信号をＲＡＭ１６４に蓄積する。タッチパネルディスプレイ装置１００ａ〜１００ｉの部分拡大画面により構成される表示画面全体を縮小し、かつ、表示画面全体と同じアスペクト比の画面として、ＲＡＭ１６４に蓄積された映像信号が表す映像を縮小した縮小画面を生成する。
【００３５】
合成処理部１４８は、縮小画面の表示状態に従って、縮小画面生成部１４６により生成された縮小画面を、部分拡大画面生成部１４４により生成された部分拡大画面に重ねて表示する。
【００３６】
タッチパネルコントローラ１２０は、座標変換処理部１２２と、タッチ情報合成処理部１２４と、ＵＳＢ信号変換部１２６とを備えている。
【００３７】
座標変換処理部１２２は、自身のタッチパネルディスプレイ装置１００に部分拡大画面のみが表示されていて、その部分拡大画面がタッチされた場合は、部分拡大画面上のタッチ位置を表すタッチ座標を、自身のタッチパネルディスプレイ装置１００の設置位置に対応したタッチ情報として取得する。また、座標変換処理部１２２は、自身のタッチパネルディスプレイ装置１００の部分拡大画面上に縮小画面が表示されていて、その縮小画面内がタッチされた場合は、縮小画面上のタッチ位置を表すタッチ座標を、表示画面全体の位置に対応したタッチ情報として取得する。
【００３８】
タッチ情報合成処理部１２４は、下流からＲＳ−２３２ＣケーブルＣｒｓにより送信されたタッチ情報と、座標変換処理部１２２により取得された自身のタッチ情報とを合成する。
【００３９】
タッチ情報は、デイジーチェーン接続されたタッチパネルディスプレイ装置１００ａ〜１００ｉのうちの、末端側のディスプレイ装置１００（タッチパネルディスプレイ装置１００ｉ）から、先頭のディスプレイ装置１００（タッチパネルディスプレイ装置１００ａ）に向かって、合成されながら、順に送られる。具体的には、図４に示すように、自身のタッチパネルディスプレイ装置１００が先頭ではない場合、タッチ情報合成処理部１２４により合成されたタッチ情報は、上流に送られる。図３に示すように、自身のタッチパネルディスプレイ装置１００が先頭である場合、タッチ情報合成処理部１２４により合成されたタッチ情報は、ＵＳＢ信号変換部１２６に送られる。
【００４０】
先頭のディスプレイ装置１００（タッチパネルディスプレイ装置１００ａ）において、ＵＳＢ信号変換部１２６は、ＵＳＢケーブルＣｕｓｂにより、タッチ情報をＨＩＤのデータとしてホストマシン２００に送る。
【００４１】
［１．３  処理の概要］
続いて、本実施形態における処理の概要について、図を参照して説明する。図５〜８は、第１実施形態に係る表示システムの処理の概要を説明するための図である。
【００４２】
ホストマシン２００（図１）は、デイジーチェーン接続されたタッチパネルディスプレイ装置１００ａ〜１００ｉに対して映像信号（第１の映像信号）を送信することにより、図５に示すような表示画面Ｄ１００（以下、第１の表示画面Ｄ１００）をタッチパネルディスプレイ装置１００ａ〜１００ｉに表示させる。この場合、タッチパネルディスプレイ装置１００ａ〜１００ｉの各々は、自身の設置位置に対応した画面として、第１の映像信号が表す映像のうちの、自身の設置位置に対応する部分を拡大した部分拡大画面を表示し、第１の表示画面Ｄ１００は、タッチパネルディスプレイ装置１００ａ〜１００ｉの設置位置に応じて第１の映像信号が表す映像を拡大した部分拡大画面により構成される。第１の表示画面Ｄ１００には、ユーザインタフェースとして、ウィンドウＷ１００が表示されている。ウィンドウＷ１００には、アプリケーションなどを含むアイコンＩ１００や、ウィンドウＷ１００を閉じるための閉じるボタンＢ１００などが表示されている。
【００４３】
操作者は、第１の表示画面Ｄ１００内の右下の領域、すなわち、タッチパネルディスプレイ装置１００ａ〜１００ｉのうちのタッチパネルディスプレイ装置１００ｉに表示された部分拡大画面に対して、第１の表示画面Ｄ１００全体を縮小した画面を表示させるためのジェスチャー操作を行なう（図５の左上向矢印を参照）。例えば、そのジェスチャー操作としては、操作者が３回連続タッチを行なう、操作者が手のひらを付ける、５本指でねじるようなジェスチャーなどが挙げられる。このジェスチャー操作により、図６に示すように、タッチパネルディスプレイ装置１００ｉは、自身が表示する部分拡大画面に対して、第１の表示画面Ｄ１００全体を縮小した縮小画面Ｄ１２０（以下、第１の縮小画面Ｄ１２０）を重ねて表示する。このジェスチャー操作は、タッチ情報として、デイジーチェーン接続されたタッチパネルディスプレイ装置１００ａ〜１００ｉからホストマシン２００に送信されない。
【００４４】
操作者は、タッチパネルディスプレイ装置１００ｉに表示された第１の縮小画面Ｄ１２０内のユーザインタフェース（この場合、ウィンドウＷ１００）をタッチ操作することにより、タッチパネルディスプレイ装置１００ａ〜１００ｉに表示された第１の表示画面Ｄ１００内のユーザインタフェース（ウィンドウＷ１００）を操作することができる。例えば、タッチ操作として、第１の表示画面Ｄ１００及び第１の縮小画面Ｄ１２０内に表示されているウィンドウＷ１００を閉じる操作が挙げられる。操作者は、ウィンドウＷ１００を閉じる操作として、第１の表示画面Ｄ１００内のウィンドウＷ１００の閉じるボタンＢ１００を操作するには、手が届かない。この場合、操作者は、ウィンドウＷ１００を閉じる操作として、第１の縮小画面Ｄ１２０内のウィンドウＷ１００の閉じるボタンＢ１００をタッチする（図６の左上向矢印を参照）。このタッチ操作は、タッチ情報として、デイジーチェーン接続されたタッチパネルディスプレイ装置１００ａ〜１００ｉからホストマシン２００に送信される。
【００４５】
このとき、ホストマシン２００は、操作者のタッチ操作に応じたタッチ情報を、デイジーチェーン接続されたタッチパネルディスプレイ装置１００ａ〜１００ｉから受信し、タッチ情報が反映された映像信号（第２の映像信号）をタッチパネルディスプレイ装置１００ａ〜１００ｉに送信することにより、図７に示すような表示画面Ｄ２００（以下、第２の表示画面Ｄ２００）をタッチパネルディスプレイ装置１００ａ〜１００ｉに表示させる。この場合、タッチパネルディスプレイ装置１００ａ〜１００ｉの各々は、自身の設置位置に対応した画面として、第２の映像信号が表す映像のうちの、自身の設置位置に対応する部分を拡大した部分拡大画面を表示し、第２の表示画面Ｄ２００は、タッチパネルディスプレイ装置１００ａ〜１００ｉの設置位置に応じて第２の映像信号が表す映像を拡大した部分拡大画面により構成される。第２の表示画面Ｄ２００には、上述のユーザインタフェース（この場合、ウィンドウＷ１００）が表示されていない。また、タッチ情報が反映された第２の映像信号により、図７に示すように、タッチパネルディスプレイ装置１００ｉは、自身が表示する部分拡大画面に対して、第２の表示画面Ｄ２００全体を縮小した縮小画面Ｄ２２０（以下、第２の縮小画面Ｄ２２０）を重ねて表示する。
【００４６】
操作者は、ジェスチャー操作により、タッチパネルディスプレイ装置１００ｉに表示された部分拡大画面上の第２の縮小画面Ｄ２２０の表示を終了させることが可能である。すなわち、操作者は、タッチパネルディスプレイ装置１００ｉに表示された部分拡大画面上の第２の縮小画面Ｄ２２０に対して、第２の縮小画面Ｄ２２０の表示を終了させるためのジェスチャー操作を行なう（図７の左上向矢印を参照）。例えば、そのジェスチャー操作としては、操作者が３回連続タッチを行なう、操作者が手のひらを付ける、５本指でねじるようなジェスチャーなどが挙げられる。このジェスチャー操作により、図８に示すように、タッチパネルディスプレイ装置１００ｉは、第２の縮小画面Ｄ２２０の表示を終了する。このジェスチャー操作は、タッチ情報として、デイジーチェーン接続されたタッチパネルディスプレイ装置１００ａ〜１００ｉからホストマシン２００に送信されない。
【００４７】
第１実施形態に係る表示システムによれば、デイジーチェーン接続された複数のタッチパネルディスプレイ装置１００ａ〜１００ｉにより表示画面が表示されているときに、表示画面全体の表示内容を変えずに、操作者は特定のジェスチャー操作のような手元の操作のみで、操作者から離れた位置に表示されている表示画面の一部（表示画面内のユーザインタフェースなど）を操作することができる。
【００４８】
［１．４  タッチ情報］
続いて、本実施形態におけるタッチ情報について、図を参照して説明する。図９、１０は、第１実施形態に係る表示システムにおけるタッチ情報を説明するための図である。
【００４９】
図９は、タッチパネルディスプレイ装置１００ａ〜１００ｉのうちの２つのタッチパネルディスプレイ装置１００間（ディスプレイ間）のタッチ情報を示している。このタッチ情報は、Ｔｉｐスイッチ、タッチＩＤ、Ｘ座標、Ｙ座標を含んでいる。Ｔｉｐスイッチは、タッチ中は「１」、タッチが離れた時に「０」を表している。タッチＩＤは、ディスプレイ間で、タッチＩＤが重ならないように、ディスプレイＩＤ「ＤｉｓｐＩＤ」をタッチＩＤとしている。Ｘ座標、Ｙ座標は、各ディスプレイ内のタッチ座標を、表示画面全体のタッチ座標に変換したものである。Ｘ座標は、「０」から「１５３６０」までの整数を表し、Ｙ座標は、「０」から「８６４０」までの整数を表している。例えば、各ディスプレイ（各タッチパネルディスプレイ装置１００ａ〜１００ｉのディスプレイ１０４）は、３×３のマルチディスプレイとして使用されるため、「Ｘｐｏｓ」を横方向のディスプレイ位置（この場合、「０」から「２」までの整数）とし、「Ｘｍａｘ」を横方向のディスプレイ数（この場合、「３」）とし、「Ｙｐｏｓ」を縦方向のディスプレイ位置（この場合、「０」から「２」までの整数）とし、「Ｙｍａｘ」を縦方向のディスプレイ数（この場合、「３」）とし、「ｘ」、「ｙ」をディスプレイ内のタッチ座標とした場合、表示画面全体のタッチ座標であるＸ座標、Ｙ座標は以下のように表すことができる。
Ｘ＝ｘ／Ｘｍａｘ＋１５３６０＊Ｘｐｏｓ／Ｘｍａｘ
Ｙ＝ｙ／Ｙｍａｘ＋８６４０＊Ｙｐｏｓ／Ｙｍａｘ
【００５０】
図１０は、ホストマシン２００とタッチパネルディスプレイ装置１００ａ〜１００ｉのうちの先頭のタッチパネルディスプレイ装置１００ａ間（ホスト−ディスプレイ間）のタッチ情報を示している。このタッチ情報は、レポートＩＤ、Ｔｉｐスイッチ、Ｘ座標、Ｙ座標、スキャン時刻を含んでいる。レポートＩＤは、ＨＩＤのＤｅｓｃｒｉｐｔｏｒで定義する固定値であり、「０×８１」を表している。Ｔｉｐスイッチ、Ｘ座標、Ｙ座標については、２つのタッチパネルディスプレイ装置１００間（ディスプレイ間）の場合と同じである。スキャン時刻は、ＨＩＤで定義されているタッチをスキャンしたときの時刻を表している。
【００５１】
［１．５  処理の流れ］
続いて、本実施形態における処理の流れについて、図を参照して説明する。
【００５２】
ここで、各ディスプレイ（各タッチパネルディスプレイ装置１００ａ〜１００ｉのディスプレイ１０４）がマルチディスプレイのどの位置に設置されているかは、あらかじめ設定されているものとする。設定方法としては、操作者が各タッチパネルディスプレイ装置１００ａ〜１００ｉ内で個別に設定してもよいし、操作者がコンピュータにインストールした設定用のアプリケーションを使用して、ＲＳ−２３２ＣケーブルＣｒｓ経由で設定コマンドにより設定してもよい。この設定に使用するコンピュータは、設置位置の設定のために使用するものであって、本実施形態におけるコンピュータ（ホストマシン２００）である必要はない。
【００５３】
また、上述のように、各ディスプレイ（各タッチパネルディスプレイ装置１００ａ〜１００ｉのディスプレイ１０４）は、３×３のマルチディスプレイとして使用される。このため、「Ｘｐｏｓ」を横方向のディスプレイ位置（この場合、「０」から「２」までの整数）とし、「Ｘｍａｘ」を横方向のディスプレイ数（この場合、「３」）と称する。「Ｙｐｏｓ」を縦方向のディスプレイ位置（この場合、「０」から「２」までの整数）と称する。「Ｙｍａｘ」を縦方向のディスプレイ数（この場合、「３」）と称する。「ｘ」、「ｙ」をディスプレイ内のタッチ座標と称する。「Ｘ」、「Ｙ」を表示画面全体のタッチ座標と称する。
【００５４】
なお、「ｘ」、「ｙ」、「Ｘ」、「Ｙ」は、タッチ座標の座標系であり、ディスプレイの表示座標とは異なる。ここで、「ｘ」、「ｙ」、「Ｘ」、「Ｙ」のそれぞれの値の範囲は、以下のように表される。
０≦ｘ，Ｘ≦１５３６０
０≦ｙ，Ｙ≦８６４０
【００５５】
また、各ディスプレイ（各タッチパネルディスプレイ装置１００ａ〜１００ｉのディスプレイ１０４）に割り当てたＩＤを「ＤｉｓｐＩＤ」と称する。
【００５６】
また、「Ｘｄｉｓｐ」、「Ｙｄｉｓｐ」を各ディスプレイ（各タッチパネルディスプレイ装置１００ａ〜１００ｉのディスプレイ１０４）の表示解像度（ドット）と称する。「Ｘｉｎ」、「Ｙｉｎ」を映像信号のアクティブ解像度（ドット）と称する。
【００５７】
また、「Ｘｓｔａｒｔ」、「Ｙｓｔａｒｔ」を後述の部分拡大処理（ステップＳ１２０）における映像信号（Ｘｉｎ、Ｙｉｎ）の切り出し位置（ドット）と称する。「Ｘｓｉｚｅ」、「Ｙｓｉｚｅ」を後述の部分拡大処理（ステップＳ１２０）における映像信号（Ｘｉｎ、Ｙｉｎ）の切り出しサイズ（ドット）と称する。
【００５８】
また、「Ｘｓｕｂ」、「Ｙｓｕｂ」を縮小画面の表示位置（ドット）と称する。「Ｘｓｕｂｓｉｚｅ」、「Ｙｓｕｂｓｉｚｅ」を縮小画面の表示サイズ（ドット）と称する。
【００５９】
図１１は、第１実施形態に係る表示システムの動作として、各タッチパネルディスプレイ装置１００ａ〜１００ｉの表示処理を示すフローチャートである。表示制御装置１４０の分配部１４２は、映像信号を３分配し、それらの映像信号を、それぞれ、下流、部分拡大画面生成部１４４、縮小画面生成部１４６に送る（ステップＳ１００；分配処理）。その後、表示制御装置１４０の部分拡大画面生成部１４４、縮小画面生成部１４６、合成処理部１４８は、それぞれ、部分拡大処理（ステップＳ１２０）、縮小処理（ステップＳ１４０）、合成処理（ステップＳ１６０）を実行する。部分拡大処理（ステップＳ１２０）と縮小処理（ステップＳ１４０）とは、図１１において順番に記載されているが、これらは同時に実行される。
【００６０】
図１２は、図１１の表示処理内の部分拡大処理（ステップＳ１２０）を示すフローチャートである。表示制御装置１４０の部分拡大画面生成部１４４において、分配部１４２から部分拡大画面用に分配された映像信号（Ｘｉｎ、Ｙｉｎ）を１フレーム分だけＲＡＭ１６２に記憶する（ステップＳ１２２）。ここで、自身のタッチパネルディスプレイ装置がマルチディスプレイ用に設定されていない場合（ステップＳ１２４−Ｎｏ）、すなわち、単独で使用されている場合、部分拡大処理（ステップＳ１２０）を終了する。
【００６１】
一方、自身のタッチパネルディスプレイ装置がマルチディスプレイ用に設定されている場合（ステップＳ１２４−Ｙｅｓ）、映像信号（Ｘｉｎ、Ｙｉｎ）の切り出し位置を算出する（ステップＳ１２６）。切り出し位置（Ｘｓｔａｒｔ、Ｙｓｔａｒｔ）は、以下のように算出される。
Ｘｓｔａｒｔ＝Ｘｉｎ＊Ｘｐｏｓ／Ｘｍａｘ
Ｙｓｔａｒｔ＝Ｙｉｎ＊Ｙｐｏｓ／Ｙｍａｘ
【００６２】
次に、映像信号（Ｘｉｎ、Ｙｉｎ）の切り出しサイズを算出する（ステップＳ１２８）。切り出しサイズ（Ｘｓｉｚｅ＊Ｙｓｉｚｅ）は、以下のように算出される。
Ｘｓｉｚｅ＝Ｘｉｎ／Ｘｍａｘ
Ｙｓｉｚｅ＝Ｙｉｎ／Ｙｍａｘ
【００６３】
次に、映像信号（Ｘｉｎ、Ｙｉｎ）の切り出し位置（Ｘｓｔａｒｔ、Ｙｓｔａｒｔ）から切り出しサイズ（Ｘｓｉｚｅ＊Ｙｓｉｚｅ）分の映像を、ディスプレイ１０４の表示サイズ（Ｘｄｉｓｐ＊Ｙｄｉｓｐ）に拡大する（ステップＳ１３０）。すなわち、マルチディスプレイの設置位置に対応した画面として、ＲＡＭ１６２に蓄積された映像信号が表す映像のうちの、自身の設置位置に対応する部分を拡大した部分拡大画面が生成され、部分拡大処理（ステップＳ１２０）が終了する。
【００６４】
図１３は、図１１の表示処理内の縮小処理（ステップＳ１４０）を示すフローチャートである。表示制御装置１４０の縮小画面生成部１４６において、分配部１４２から縮小画面用に分配された映像信号（Ｘｉｎ、Ｙｉｎ）を１フレーム分だけＲＡＭ１６４に記憶する（ステップＳ１４２）。次に、映像信号（Ｘｉｎ、Ｙｉｎ）の映像を、縮小画面の表示サイズ（Ｘｓｕｂｓｉｚｅ＊Ｙｓｕｂｓｉｚｅ）に縮小する（ステップＳ１４４）。すなわち、表示画面全体を縮小し、かつ、表示画面全体と同じアスペクト比の画面として、ＲＡＭ１６４に蓄積された映像信号が表す映像を縮小した縮小画面が生成され、縮小処理（ステップＳ１４０）が終了する。
【００６５】
図１４は、図１１の表示処理内の合成処理（ステップＳ１６０）を示すフローチャートである。表示制御装置１４０の合成処理部１４８において、ディスプレイ１０４に縮小画面が表示されている場合（ステップＳ１６２−Ｙｅｓ）、部分拡大画面の（Ｘｓｕｂ、Ｙｓｕｂ）の位置に、縮小画面（Ｘｓｕｂｓｉｚｅ、Ｙｓｕｂｓｉｚｅ）を重ねてディスプレイ１０４に表示する（ステップＳ１６４）。すなわち、縮小画面が部分拡大画面に重ねて表示され、合成処理（ステップＳ１６０）が終了する。一方、ディスプレイ１０４に縮小画面が表示されていない場合（ステップＳ１６２−Ｎｏ）、部分拡大画面がディスプレイ１０４に表示され（ステップＳ１６６）、合成処理（ステップＳ１６０）が終了する。
【００６６】
図１５〜１７は、第１実施形態に係る表示システムの動作として、各タッチパネルディスプレイ装置１００ａ〜１００ｉのタッチ処理を示すフローチャートである。
【００６７】
タッチパネルコントローラ１２０の座標変換処理部１２２において、下流にＵＡＲＴ接続が存在する場合（ステップＳ２００−Ｙｅｓ）、すなわち、自身のタッチパネルディスプレイ装置がタッチパネルディスプレイ装置１００ａ〜１００ｈである場合、下流からのタッチ情報を受信する（ステップＳ２０２）。一方、下流にＵＡＲＴ接続が存在しない場合（ステップＳ２００−Ｎｏ）、すなわち、自身のタッチパネルディスプレイ装置がタッチパネルディスプレイ装置１００ｉである場合、ステップＳ２０２をスキップする。
【００６８】
次に、自身のタッチ座標を取得する（ステップＳ２０４）。自身のタッチパネルディスプレイ装置がマルチディスプレイ用に設定されている場合（ステップＳ２０６−Ｙｅｓ）、タッチＩＤをマルチディスプレイ用に変換する（ステップＳ２０８）。マルチディスプレイ用に変換されるタッチＩＤは、以下のように表される。
ＩＤ＝ＤｉｓｐＩＤ
【００６９】
一方、自身のタッチパネルディスプレイ装置がマルチディスプレイ用に設定されていない場合（ステップＳ２０６−Ｎｏ）、ステップＳ２０８をスキップする。
【００７０】
次に、ディスプレイ１０４に縮小画面が表示されているときに（ステップＳ２１０−Ｙｅｓ）、縮小画面内のタッチが行われている場合（ステップＳ２１２−Ｙｅｓ）、縮小画面用に座標変換が行われる（ステップＳ２１４）。この座標変換は、以下のように表される。
Ｘ＝（ｘ−Ｘｓｕｂ＊１５３６０／Ｘｄｉｓｐ）＊Ｘｄｉｓｐ／Ｘｓｉｚｅ
＝ｘ＊Ｘｄｉｓｐ／Ｘｓｉｚｅ−Ｘｓｕｂ＊１５３６０／Ｘｓｉｚｅ
Ｙ＝（ｙ−Ｙｓｕｂ＊８６４０／Ｙｄｉｓｐ）＊Ｙｄｉｓｐ／Ｙｓｉｚｅ
＝ｙ＊Ｙｄｉｓｐ／Ｙｓｉｚｅ−Ｙｓｕｂ＊８６４０／Ｙｓｉｚｅ
【００７１】
一方、ディスプレイ１０４に縮小画面が表示されているときに（ステップＳ２１０−Ｙｅｓ）、縮小画面内のタッチが行われていない場合（ステップＳ２１２−Ｎｏ）、座標変換が行われる（ステップＳ２１６）。この座標変換は、以下のように表される。
Ｘ＝ｘ／Ｘｍａｘ＋１５３６０＊Ｘｐｏｓ／Ｘｍａｘ
Ｙ＝ｙ／Ｙｍａｘ＋８６４０＊Ｙｐｏｓ／Ｙｍａｘ
【００７２】
ここで、ディスプレイ１０４に縮小画面が表示されていない場合（ステップＳ２１０−Ｎｏ）、ステップＳ２１２〜Ｓ２１６をスキップする。
【００７３】
次に、タッチパネルコントローラ１２０のタッチ情報合成処理部１２４において、下流から送られてきたタッチ情報と、自身のタッチ情報とを、送信候補とする（最大２個）（ステップＳ２１８）。その後、ジェスチャー処理（ステップＳ２２０）を実行する。
【００７４】
ジェスチャー処理（ステップＳ２２０）において、例えば、３回連続で、同じ座標近傍で、タッチダウン・タッチアップが行われたときに（ステップＳ２２００−Ｙｅｓ）、ディスプレイ１０４に縮小画面が表示されている場合（ステップＳ２２０２−Ｙｅｓ）、縮小画面の表示を終了するように、表示制御装置１４０を制御する（ステップＳ２２０４）。この場合、タッチ情報としてホストマシン２００に送信しないようにするために、自身のタッチ情報を削除する（ステップＳ２２０８）。
【００７５】
ジェスチャー処理（ステップＳ２２０）において、３回連続で、同じ座標近傍で、タッチダウン・タッチアップが行われたときに（ステップＳ２２００−Ｙｅｓ）、ディスプレイ１０４に縮小画面が表示されていない場合（ステップＳ２２０２−Ｎｏ）、タッチ位置を中心に縮小画面（Ｘｓｕｂｓｉｚｅ、Ｙｓｕｂｓｉｚｅ）を表示するように、表示制御装置１４０を制御する（ステップＳ２２０６）。この場合、タッチ情報としてホストマシン２００に送信しないようにするために、自身のタッチ情報を削除する（ステップＳ２２０８）。
【００７６】
ここで、ジェスチャー処理（ステップＳ２２０）において、３回連続で、同じ座標近傍で、タッチダウン・タッチアップが行われない場合（ステップＳ２２００−Ｎｏ）、ステップＳ２２０２〜Ｓ２２０８をスキップする。
【００７７】
次に、タッチパネルコントローラ１２０のタッチ情報合成処理部１２４において、送信候補のタッチ情報の数をｍとする（ステップＳ２２２）。送信候補から１つ取り出し（ステップＳ２２４）、前回送信したＩＤを検索する（ステップＳ２２６）。同じＩＤがある場合（ステップＳ２２８−Ｙｅｓ）、今回送信するタッチ情報として記憶する（ステップＳ２３０）。一方、同じＩＤがない場合（ステップＳ２２８−Ｎｏ）、ステップＳ２３０をスキップする。送信候補の数ｍまで繰り返していない場合（ステップＳ２３２−Ｎｏ）、ステップＳ２２４〜Ｓ２３２を繰り返す。
【００７８】
送信候補の数ｍまで繰り返した場合（ステップＳ２３２−Ｙｅｓ）、残っている送信候補のタッチ情報の数をｎとする（ステップＳ２３４）。今回送信するタッチ情報の数が１つない場合（ステップＳ２３６−Ｎｏ）、今回送信するタッチ情報として記憶する（ステップＳ２３８）。送信候補の数ｎまで繰り返していない場合（ステップＳ２４０−Ｎｏ）、ステップＳ２３６〜Ｓ２４０を繰り返す。送信候補の数ｎまで繰り返した場合（ステップＳ２４０−Ｙｅｓ）、または、今回送信するタッチ情報の数が１つある場合（ステップＳ２３６−Ｙｅｓ）、ステップＳ２４２に移行する。
【００７９】
ＵＳＢによるタッチパネル接続が有効ではない場合（ステップＳ２４２−Ｎｏ）、すなわち、自身のタッチパネルディスプレイ装置がタッチパネルディスプレイ装置１００ｂ〜１００ｉである場合、ＵＡＲＴ経由で（ＲＳ−２３２ＣケーブルＣｒｓにより）、タッチ情報を上流へ送信する（ステップＳ２４８）。
【００８０】
一方、ＵＳＢによるタッチパネル接続が有効である場合（ステップＳ２４２−Ｙｅｓ）、すなわち、自身のタッチパネルディスプレイ装置がタッチパネルディスプレイ装置１００ａである場合、タッチパネルコントローラ１２０のＵＳＢ信号変換部１２６において、タッチ情報をＨＩＤフォーマットに変換し（ステップＳ２４４）、ＵＳＢ経由で（ＵＳＢケーブルＣｕｂｓにより）、ホストマシン２００へ送信する（ステップＳ２４６）。
【００８１】
以上の説明により、第１実施形態に係る表示システムは、映像信号が上流から下流に送信されるようにデイジーチェーン接続され、映像信号が表す映像を表示画面として表示する複数の表示装置（複数のタッチパネルディスプレイ装置１００ａ〜１００ｉ）と、映像信号を送信し、デイジーチェーン接続により下流から上流に送信されるタッチ情報を受信した場合に映像信号に反映させるホストマシン２００と、を具備している。複数のタッチパネルディスプレイ装置１００ａ〜１００ｉの各々は、上流からの映像信号を複数分配する分配部（表示制御装置１４０の分配部１４２）と、分配部１４２により分配された映像信号が表す映像のうちの、自身の設置位置に対応する部分を拡大することにより、部分拡大画面を生成する部分拡大画面生成部（表示制御装置１４０の部分拡大画面生成部１４４）と、分配部１４２により分配された映像信号が表す映像を縮小することにより、映像信号が表す映像を縮小した縮小画面を生成する縮小画面生成部（表示制御装置１４０の縮小画面生成部１４６）と、部分拡大画面を表示し、特定のジェスチャー操作が行われたときに、縮小画面を部分拡大画面に重ねて表示する表示制御部（表示制御装置１４０の合成処理部１４８）と、縮小画面に対する操作を表示画面の操作として検出するタッチ制御部（タッチパネルコントローラ１２０）と、を具備している。タッチパネルコントローラ１２０は、縮小画面に対してタッチ操作が行われたときに、表示画面に対する上記タッチ操作としてタッチ情報を上流に送信する。これにより、第１実施形態に係る表示システムでは、デイジーチェーン接続された複数のタッチパネルディスプレイ装置１００ａ〜１００ｉにより表示画面が表示されているときに、表示画面全体の表示内容を変えずに、操作者は特定のジェスチャー操作のような手元の操作のみで、操作者から離れた位置に表示されている表示画面の一部（表示画面内のユーザインタフェースなど）を操作することができる。
【００８２】
［２．  第２実施形態］
続いて、第２実施形態について説明する。第１実施形態では、タッチ情報として、各ディスプレイ（各タッチパネルディスプレイ装置１００ａ〜１００ｉのディスプレイ１０４）毎に１点ずつの検出としているが、第２実施形態では、タッチ情報として、各ディスプレイ（各タッチパネルディスプレイ装置１００ａ〜１００ｉのディスプレイ１０４）毎に１０点ずつ検出可能とする。第２実施形態では、第１実施形態と同一の処理については、同一の符号を付すことにより、その詳細な説明を省略する。
【００８３】
［２．１  タッチ情報］
本実施形態におけるタッチ情報について、図を参照して説明する。図１８、１９は、第２実施形態に係る表示システムにおけるタッチ情報を説明するための図である。
【００８４】
図１８は、タッチパネルディスプレイ装置１００ａ〜１００ｉのうちの２つのタッチパネルディスプレイ装置１００間（ディスプレイ間）のタッチ情報を示している。このタッチ情報は、タッチカウントと、複数のタッチ座標とを含んでいる。タッチカウントは、タッチ情報に含まれるタッチ座標の数を表している。複数のタッチ座標は、Ｔｉｐスイッチ、タッチＩＤ、Ｘ座標、Ｙ座標を含んでいる。Ｔｉｐスイッチ、Ｘ座標、Ｙ座標については、第１実施形態における２つのタッチパネルディスプレイ装置１００間（ディスプレイ間）の場合と同じである。タッチＩＤについては、ディスプレイ間で、タッチＩＤが重ならないように、「ＩＤ」をタッチＩＤとし、「ＤｉｓｐＩＤ」をディスプレイＩＤとした場合、タッチＩＤは、ＩＤ＋ＤｉｓｐＩＤ＊１０により表すことができる。
【００８５】
図１９は、ホストマシン２００とタッチパネルディスプレイ装置１００ａ〜１００ｉのうちの先頭のタッチパネルディスプレイ装置１００ａ間（ホスト−ディスプレイ間）のタッチ情報を示している。このタッチ情報は、レポートＩＤと、複数のタッチ座標と、スキャン時刻と、タッチカウントとを含んでいる。複数のタッチ座標は、Ｔｉｐスイッチ、タッチＩＤ、Ｘ座標、Ｙ座標を含んでいる。Ｔｉｐスイッチ、Ｘ座標、Ｙ座標については、第１実施形態におけるホストマシン２００と先頭のタッチパネルディスプレイ装置１００ａ間（ホスト−ディスプレイ間）の場合と同じである。タッチＩＤについては、タッチ情報としてＵＳＢで送信するタッチ数の最大を１０点として定義しているので、デイジーチェーン接続されたタッチパネルディスプレイ装置１００ａ〜１００ｉから集まったタッチ情報を基に、前回送信したタッチＩＤと同じＩＤのものを優先して、ホストマシン２００へ送るタッチ情報を１０点に絞り込む。ここで、タッチＩＤについては、デイジーチェーンの接続数に応じて、ＵＳＢで送信するタッチ数を１０点以上に拡張するようにしてもよい。
【００８６】
［２．２  処理の流れ］
続いて、本実施形態における処理の流れについて、図を参照して説明する。
【００８７】
第２実施形態に係る表示システムの動作として、各タッチパネルディスプレイ装置１００ａ〜１００ｉの表示処理と、表示処理内の部分拡大処理（ステップＳ１２０）、縮小処理（ステップＳ１４０）、合成処理（ステップＳ１６０）とについては、第１実施形態（図１１〜１４）と同じであるため、その説明を省略する。
【００８８】
図２０、２１は、第２実施形態に係る表示システムの動作として、各タッチパネルディスプレイ装置１００ａ〜１００ｉのタッチ処理を示すフローチャートである。ここで、タッチ処理内のジェスチャー処理（ステップＳ２２０）については、第１実施形態（図１７）と同じであるため、その説明を省略する。
【００８９】
まず、タッチパネルコントローラ１２０の座標変換処理部１２２において、第１実施形態と同様にステップＳ２００〜Ｓ２０６が実行される。ここで、自身のタッチパネルディスプレイ装置がマルチディスプレイ用に設定されている場合（ステップＳ２０６−Ｙｅｓ）、タッチＩＤをマルチディスプレイ用に変換する（ステップＳ１２０８）。マルチディスプレイ用に変換されるタッチＩＤは、以下のように表される。
ＩＤ＝ＩＤ＋ＤｉｓｐＩＤ＊１０
【００９０】
その後、第１実施形態と同様にステップＳ２１０〜Ｓ２１６が実行される。次に、タッチパネルコントローラ１２０のタッチ情報合成処理部１２４において、下流から送られてきたタッチ情報と、自身のタッチ情報とを、送信候補とする（最大１０個）（ステップＳ１２１８）。その後、第１実施形態と同様にジェスチャー処理（ステップＳ２２０）を実行する。
【００９１】
次に、タッチパネルコントローラ１２０のタッチ情報合成処理部１２４において、第１実施形態と同様にステップＳ２２２〜Ｓ２３４が実行される。今回送信するタッチ情報の数が最大タッチ数ＩＤｍａｘに達していない場合（ステップＳ１２３６−Ｎｏ）、今回送信するタッチ情報として記憶する（ステップＳ２３８）。今回送信するタッチ情報の数が最大タッチ数ＩＤｍａｘに達している場合（ステップＳ１２３６−Ｙｅｓ）、第１実施形態と同様にステップＳ２４２〜Ｓ２４８が実行される。
【００９２】
以上の説明により、第２実施形態に係る表示システムでは、第１実施形態と同様に、デイジーチェーン接続された複数のタッチパネルディスプレイ装置１００ａ〜１００ｉにより表示画面が表示されているときに、表示画面全体の表示内容を変えずに、操作者は特定のジェスチャー操作のような手元の操作のみで、操作者から離れた位置に表示されている表示画面の一部（表示画面内のユーザインタフェースなど）を操作することができる。
【００９３】
［３．  第３実施形態］
続いて、第３実施形態について説明する。第３実施形態では、デイジーチェーン接続された複数のタッチパネルディスプレイ装置により表示画面が表示され、その表示画面に縮小画面が重ねて表示されているときに、操作者が縮小画面に対してタッチ操作を行なうことで、縮小画面内でタッチ操作が行われた領域を含み、かつ、表示画面の一部を表す画面であるクローン画面を表示させ、そのクローン画面内において、表示画面内のユーザインタフェースの操作を可能としている。第３実施形態では、第１、２実施形態と同一の処理については、同一の符号を付すことにより、その詳細な説明を省略する。
【００９４】
［３．１  処理の概要］
続いて、本実施形態における処理の概要について、図を参照して説明する。図２２〜２５は、第３実施形態に係る表示システムの処理の概要を説明するための図である。
【００９５】
ホストマシン２００（図１）は、デイジーチェーン接続されたタッチパネルディスプレイ装置１００ａ〜１００ｉに対して映像信号（第１の映像信号）を送信することにより、図２２に示すような表示画面Ｄ３００（以下、第１の表示画面Ｄ３００）をタッチパネルディスプレイ装置１００ａ〜１００ｉに表示させる。この場合、タッチパネルディスプレイ装置１００ａ〜１００ｉの各々は、自身の設置位置に対応した画面として、第１の映像信号が表す映像のうちの、自身の設置位置に対応する部分を拡大した部分拡大画面を表示し、第１の表示画面Ｄ３００は、タッチパネルディスプレイ装置１００ａ〜１００ｉの設置位置に応じて第１の映像信号が表す映像を拡大した部分拡大画面により構成される。第１の表示画面Ｄ３００には、ユーザインタフェースとして、ウィンドウＷ３００が表示されている。ウィンドウＷ３００には、複数のアイコンＩ３００や、ウィンドウＷ３００を閉じるための閉じるボタンＢ３００などが表示されている。
【００９６】
操作者は、第１の表示画面Ｄ３００内の右下の領域、すなわち、タッチパネルディスプレイ装置１００ａ〜１００ｉのうちのタッチパネルディスプレイ装置１００ｉに表示された部分拡大画面に対して、第１の表示画面Ｄ３００全体を縮小した画面を表示させるためのジェスチャー操作を行なう（図２２の左上向矢印を参照）。例えば、そのジェスチャー操作としては、操作者が３回連続タッチを行なう、操作者が手のひらを付ける、５本指でねじるようなジェスチャーなどが挙げられる。このジェスチャー操作により、図２３に示すように、タッチパネルディスプレイ装置１００ｉは、自身が表示する部分拡大画面に対して、第１の表示画面Ｄ３００全体を縮小した縮小画面Ｄ３２０（以下、第１の縮小画面Ｄ３２０）を重ねて表示する。このジェスチャー操作は、タッチ情報として、デイジーチェーン接続されたタッチパネルディスプレイ装置１００ａ〜１００ｉからホストマシン２００に送信されない。
【００９７】
操作者は、タッチパネルディスプレイ装置１００ｉに表示された第１の縮小画面Ｄ３２０をタッチ操作することにより、第１の縮小画面Ｄ３２０内でタッチ操作が行われた領域を含み、かつ、第１の表示画面Ｄ３００の一部を表す画面をタッチパネルディスプレイ装置１００ｉに表示させることができる。例えば、第１の縮小画面Ｄ３２０に対するタッチ操作により、タッチパネルディスプレイ装置１００ｉは、図２４に示すようなクローン画面Ｄ３４０を表示する。クローン画面Ｄ３４０は、第１の縮小画面Ｄ３２０内でタッチ操作が行われた領域としてユーザインタフェース（この場合、ウィンドウＷ３００）を含み、かつ、第１の表示画面Ｄ３００の一部を表している。
【００９８】
操作者は、タッチパネルディスプレイ装置１００ｉに表示されたクローン画面Ｄ３４０内のユーザインタフェース（この場合、ウィンドウＷ３００）をタッチ操作することにより、タッチパネルディスプレイ装置１００ａ〜１００ｉに表示された第１の表示画面Ｄ３００内のユーザインタフェース（ウィンドウＷ３００）を操作することができる。例えば、タッチ操作として、第１の表示画面Ｄ３００及びクローン画面Ｄ３４０内に表示されているウィンドウＷ３００のアイコンＩ３００（アプリケーションを含む）の操作が挙げられる。
【００９９】
操作者は、ジェスチャー操作により、タッチパネルディスプレイ装置１００ｉに表示されたクローン画面Ｄ３４０の表示を終了させることが可能である。すなわち、操作者は、タッチパネルディスプレイ装置１００ｉに表示されたクローン画面Ｄ３４０に対して、クローン画面Ｄ３４０の表示を終了させるためのジェスチャー操作を行なう（図２４の左上向矢印を参照）。例えば、そのジェスチャー操作としては、操作者が３回連続タッチを行なう、操作者が手のひらを付ける、５本指でねじるようなジェスチャーなどが挙げられる。このジェスチャー操作により、図２５に示すように、タッチパネルディスプレイ装置１００ｉは、クローン画面Ｄ３４０の表示を終了し、部分拡大画面を表示する。このジェスチャー操作は、タッチ情報として、デイジーチェーン接続されたタッチパネルディスプレイ装置１００ａ〜１００ｉからホストマシン２００に送信されない。
【０１００】
第３実施形態に係る表示システムによれば、表示画面全体の表示内容を変えずに、操作者は特定のジェスチャー操作のような手元の操作のみで、操作者から離れた位置に表示されている表示画面の一部（表示画面内のユーザインタフェースなど）を操作することができる。
【０１０１】
［３．２  処理の流れ］
続いて、本実施形態における処理の流れについて、図を参照して説明する。
【０１０２】
ここで、「Ｘｐｏｓ」、「Ｘｍａｘ」、「Ｙｐｏｓ」、「Ｙｍａｘ」、「ＤｉｓｐＩＤ」、「Ｘｄｉｓｐ」、「Ｙｄｉｓｐ」、「Ｘｉｎ」、「Ｙｉｎ」、「Ｘｓｔａｒｔ」、「Ｙｓｔａｒｔ」、「Ｘｓｉｚｅ」、「Ｙｓｉｚｅ」、「Ｘｓｕｂ」、「Ｙｓｕｂ」、「Ｘｓｕｂｓｉｚｅ」、「Ｙｓｕｂｓｉｚｅ」については、第１実施形態と同じである。
【０１０３】
また、「Ｘｐｏｓｃｌｏｎｅ」をクローン画面表示における横方向のディスプレイ位置と称し、「Ｙｐｏｓｃｌｏｎｅ」をクローン画面表示における縦方向のディスプレイ位置と称する。
【０１０４】
図２６は、図１１の表示処理内の部分拡大処理（ステップＳ１２０）を示すフローチャートである。表示制御装置１４０の部分拡大画面生成部１４４において、第１、２実施形態と同様にステップＳ１２２、Ｓ１２４が実行される。
【０１０５】
自身のタッチパネルディスプレイ装置がマルチディスプレイ用に設定されていて（ステップＳ１２４−Ｙｅｓ）、ディスプレイ１０４にクローン画面が表示されていない場合（ステップＳ３０００−Ｎｏ）、第１、２実施形態と同様にステップＳ１２６が実行される。
【０１０６】
一方、自身のタッチパネルディスプレイ装置がマルチディスプレイ用に設定されていて（ステップＳ１２４−Ｙｅｓ）、ディスプレイ１０４にクローン画面が表示されている場合（ステップＳ３０００−Ｙｅｓ）、映像信号（Ｘｉｎ、Ｙｉｎ）の切り出し位置を算出する（ステップＳ３００２）。切り出し位置（Ｘｓｔａｒｔ、Ｙｓｔａｒｔ）は、以下のように算出される。
Ｘｓｔａｒｔ＝Ｘｉｎ＊Ｘｐｏｓｃｌｏｎｅ／Ｘｍａｘ
Ｙｓｔａｒｔ＝Ｙｉｎ＊Ｙｐｏｓｃｌｏｎｅ／Ｙｍａｘ
【０１０７】
次に、第１、２実施形態と同様にステップＳ１２８が実行される。次に、映像信号（Ｘｉｎ、Ｙｉｎ）の切り出し位置（Ｘｓｔａｒｔ、Ｙｓｔａｒｔ）から切り出しサイズ（Ｘｓｉｚｅ＊Ｙｓｉｚｅ）分の映像を、ディスプレイ１０４の表示サイズ（Ｘｄｉｓｐ＊Ｙｄｉｓｐ）に拡大する（ステップＳ３００４）。すなわち、部分拡大画面またはクローン画面が生成され、部分拡大処理（ステップＳ１２０）が終了する。
【０１０８】
表示処理内の縮小処理（ステップＳ１４０）については、第１、２実施形態（図１３）と同じであるため、その説明を省略する。
【０１０９】
図２７は、図１１の表示処理内の合成処理（ステップＳ１６０）を示すフローチャートである。表示制御装置１４０の合成処理部１４８において、ディスプレイ１０４に縮小画面が表示されている場合（ステップＳ１６２−Ｙｅｓ）、第１、２実施形態と同様にステップＳ１６４が実行され、合成処理（ステップＳ１６０）が終了する。一方、ディスプレイ１０４に縮小画面が表示されていない場合（ステップＳ１６２−Ｎｏ）、部分拡大処理（ステップＳ１２０）により生成された画面（部分拡大画面またはクローン画面）がディスプレイ１０４に表示され、合成処理（ステップＳ１６０）が終了する。
【０１１０】
図２８〜３０は、第３実施形態に係る表示システムの動作として、各タッチパネルディスプレイ装置１００ａ〜１００ｉのタッチ処理を示すフローチャートである。
【０１１１】
まず、タッチパネルコントローラ１２０の座標変換処理部１２２において、第１、２実施形態と同様にステップＳ２００〜Ｓ２０６が実行され、第２実施形態と同様にＳ１２０８が実行される。
【０１１２】
次に、ディスプレイ１０４に縮小画面が表示されているときに（ステップＳ２１０−Ｙｅｓ）、縮小画面内のタッチが行われていない場合（ステップＳ２１２−Ｎｏ）、第１、２実施形態と同様にステップＳ２１４が実行される。
【０１１３】
一方、ディスプレイ１０４に縮小画面が表示されているときに（ステップＳ２１０−Ｙｅｓ）、縮小画面内のタッチが行われた場合（ステップＳ２１２−Ｙｅｓ）、タッチ位置を確認し（ステップＳ３１０４）、タッチ情報としてホストマシン２００に送信しないようにするために、自身のタッチ情報を削除する（ステップＳ３１０６）。また、縮小画面の表示を終了するように、表示制御装置１４０を制御する（ステップＳ３１０８）。
【０１１４】
ここで、ディスプレイ１０４に縮小画面が表示されてなく（ステップＳ２１０−Ｎｏ）、ディスプレイ１０４にクローン画面が表示されている場合（ステップＳ３１００−Ｙｅｓ）、クローン画面用に座標変換が行われる（ステップＳ３１０２）。この座標変換は、以下のように表される。
Ｘ＝ｘ／Ｘｍａｘ＋１５３６０＊Ｘｐｏｓｃｌｏｎｅ／Ｘｍａｘ
Ｙ＝ｙ／Ｙｍａｘ＋８６４０＊Ｙｐｏｓｃｌｏｎｅ／Ｙｍａｘ
【０１１５】
次に、タッチパネルコントローラ１２０のタッチ情報合成処理部１２４において、第２実施形態と同様にステップＳ１２１８が実行される。その後、ジェスチャー処理（ステップＳ２２０）を実行する。
【０１１６】
ジェスチャー処理（ステップＳ２２０）において、第１、２実施形態と同様にステップＳ２２００が実行される。このとき、ディスプレイ１０４に縮小画面が表示されている場合（ステップＳ２２０２−Ｙｅｓ）、第１、２実施形態と同様にステップＳ２２０４、Ｓ２２０８が実行される。
【０１１７】
一方、ジェスチャー処理（ステップＳ２２０）において、ディスプレイ１０４に縮小画面もクローン画面も表示されていない場合（ステップＳ２２０２−Ｎｏ、Ｓ３２００−Ｎｏ）、第１、２実施形態と同様にステップＳ２２０６、Ｓ２２０８が実行される。
【０１１８】
ジェスチャー処理（ステップＳ２２０）において、ディスプレイ１０４に縮小画面が表示されてなく、ディスプレイ１０４にクローン画面が表示されている場合（ステップＳ３２００−Ｙｅｓ）、クローン画面の表示を終了するように、表示制御装置１４０に指示する（ステップＳ３２０２）。その後、第２実施形態と同様にステップＳ２２０８が実行される。
【０１１９】
次に、タッチパネルコントローラ１２０のタッチ情報合成処理部１２４において、第１、２実施形態と同様にステップＳ２２２〜Ｓ２３４が実行される。そして、第２実施形態と同様にステップＳ１２３６が実行され、第１、２実施形態と同様にステップＳ２３８〜Ｓ２４８が実行される。
【０１２０】
以上の説明により、第３実施形態に係る表示システムは、映像信号が上流から下流に送信されるようにデイジーチェーン接続され、映像信号が表す映像を表示画面として表示する複数の表示装置（複数のタッチパネルディスプレイ装置１００ａ〜１００ｉ）と、映像信号を送信し、デイジーチェーン接続により下流から上流に送信されるタッチ情報を受信した場合に映像信号に反映させるホストマシン２００と、を具備している。複数のタッチパネルディスプレイ装置１００ａ〜１００ｉの各々は、上流からの映像信号を複数分配する分配部（表示制御装置１４０の分配部１４２）と、分配部１４２により分配された映像信号が表す映像のうちの、自身の設置位置に対応する部分を拡大することにより、部分拡大画面を生成する部分拡大画面生成部（表示制御装置１４０の部分拡大画面生成部１４４）と、分配部１４２により分配された映像信号が表す映像を縮小することにより、映像信号が表す映像を縮小した縮小画面を生成する縮小画面生成部（表示制御装置１４０の縮小画面生成部１４６）と、部分拡大画面を表示し、特定のジェスチャー操作が行われたときに、縮小画面を部分拡大画面に重ねて表示する表示制御部（表示制御装置１４０の合成処理部１４８）と、縮小画面に対する操作を表示画面の操作として検出するタッチ制御部（タッチパネルコントローラ１２０）と、を具備している。表示制御装置１４０の合成処理部１４８は、縮小画面に対して第１のタッチ操作が行われたときに、縮小画面内で上記第１のタッチ操作が行われた領域を含み、かつ、表示画面の一部を表す画面であるクローン画面を表示する。タッチパネルコントローラ１２０は、クローン画面に対して第２のタッチ操作が行われたときに、表示画面に対する上記第２のタッチ操作としてタッチ情報を上流に送信する。これにより、第３実施形態に係る表示システムでは、デイジーチェーン接続された複数のタッチパネルディスプレイ装置１００ａ〜１００ｉにより表示画面が表示されているときに、表示画面全体の表示内容を変えずに、操作者は特定のジェスチャー操作のような手元の操作のみで、操作者から離れた位置に表示されている表示画面の一部（表示画面内のユーザインタフェースなど）を操作することができる。
【０１２１】
また、第３実施形態の変形例として、図３１に示すように、デイジーチェーン接続された複数のタッチパネルディスプレイ装置１００ａ〜１００ｉにより表示画面が表示されているときに、操作者が表示画面の任意の位置（例えば、操作者の手が届く部分として、タッチパネルディスプレイ装置１００ｈ）でスライド操作（例えば、手のひらをつけて表示画面を上下左右にスライドさせる操作）を行なう（図３１の上向矢印を参照）。この場合、図３２に示すように、表示画面に対してスライド操作が行われた領域を含み、かつ、表示画面のうちの、スライド操作により隠れた部分を表すスライド画面をタッチパネルディスプレイ装置１００ｇ〜１００ｉに表示させ、そのスライド画面内でも、表示画面と同様のタッチ操作を行なえるようにしてもよい。
【０１２２】
［４．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１２３】
また、上述した実施形態は、説明した以外にも、矛盾のない範囲において適宜組み合わせて実行しても良いことは勿論である。
【０１２４】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭ（Read Only Memory）やＨＤＤ（Hard Disc Drive）の記憶装置に格納され、必要に応じてＣＰＵによって読み出し、修正・書き込みが行なわれる。
【０１２５】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１２６】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０１２７】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【０１２８】
１００、１００ａ〜１００ｉ  …  タッチパネルディスプレイ装置（表示装置）
１０２  …  タッチパネル
１０４  …  ディスプレイ
１０６  …  制御装置
１２０  …  タッチパネルコントローラ
１２２  …  座標変換処理部
１２４  …  タッチ情報合成処理部
１２６  …  ＵＳＢ信号変換部
１４０  …  表示制御装置
１４２  …  分配部
１４４  …  部分拡大画面生成部
１４６  …  縮小画面生成部
１４８  …  合成処理部
１６０  …  記憶装置
１６２  …  ＲＡＭ（部分拡大画面用）
１６４  …  ＲＡＭ（縮小画面用）
２００  …  ホストマシン
２１０  …  制御部
２２０  …  記憶部
２３０  …  通信部
Ｂ１００  …  閉じるボタン
Ｂ３００  …  閉じるボタン
Ｃｒｓ  …  ＲＳ−２３２Ｃケーブル
Ｃｕｓｂ  …  ＵＳＢケーブル
Ｃｖｐ  …  映像ケーブル
Ｄ１００  …  表示画面
Ｄ１２０  …  縮小画面
Ｄ２００  …  表示画面
Ｄ２２０  …  縮小画面
Ｄ３００  …  表示画面
Ｄ３２０  …  縮小画面
Ｄ３４０  …  クローン画面
Ｉ１００  …  アイコン
Ｉ３００  …  アイコン
Ｗ１００  …  ウィンドウ
Ｗ３００  …  ウィンドウ
【図１】
2018040923.tif 000003
【図２】
2018040923.tif 000004
【図３】
2018040923.tif 000005
【図４】
2018040923.tif 000006
【図５】
2018040923.tif 000007
【図６】
2018040923.tif 000008
【図７】
2018040923.tif 000009
【図８】
2018040923.tif 000010
【図９】
2018040923.tif 000011
【図１０】
2018040923.tif 000012
【図１１】
2018040923.tif 000013
【図１２】
2018040923.tif 000014
【図１３】
2018040923.tif 000015
【図１４】
2018040923.tif 000016
【図１５】
2018040923.tif 000017
【図１６】
2018040923.tif 000018
【図１７】
2018040923.tif 000019
【図１８】
2018040923.tif 000020
【図１９】
2018040923.tif 000021
【図２０】
2018040923.tif 000022
【図２１】
2018040923.tif 000023
【図２２】
2018040923.tif 000024
【図２３】
2018040923.tif 000025
【図２４】
2018040923.tif 000026
【図２５】
2018040923.tif 000027
【図２６】
2018040923.tif 000028
【図２７】
2018040923.tif 000029
【図２８】
2018040923.tif 000030
【図２９】
2018040923.tif 000031
【図３０】
2018040923.tif 000032
【図３１】
2018040923.tif 000033
【図３２】
2018040923.tif 000034